(57)【要約】【課題】表示画面の面積を有効に活用し、再生画像をより見易い状態で表示する。【解決手段】 縦横比が異なる画像を取得するメモリカード29と、取得した画像を表示する、表示画面の縦横比が異なる表示部26と、この表示部26の表示画面の向きを検出する縦横センサ30と、その検出結果に基づいて表示部26に表示する画像の表示方向及び表示サイズを変更する制御部22とを備える。【選択図】　　　図１
2004145291.tif 000002
【特許請求の範囲】
【請求項１】
縦横比が異なる画像を取得する画像取得手段と、
　この画像取得手段により取得された画像を表示する、表示画面の縦横比が異なる画像表示手段と、
　この画像表示手段の表示画面の向きを検出する検出手段と、
　この検出手段での検出結果に基づいて、上記画像表示手段に表示する画像の表示方向及び表示サイズを変更する表示制御手段と
を具備したことを特徴とする画像表示装置。
【請求項２】
画像表示装置が縦向き及び横向きのいずれの状態で保持されているのかを判断する判断手段を備え、
　上記検出手段は、上記判断手段の判断結果に基づいて、表示画面の向きを検出することを特徴とする請求項１記載の画像表示装置。
【請求項３】
上記画像取得手段により取得した画像の縦横比を判別する縦横比判別手段をさらに備え、
　上記表示制御手段は、上記縦横比判別手段での判別結果及び上記検出手段での検出結果に基づいて上記画像表示手段に表示する画像の表示方向及び表示サイズを変更することを特徴とする請求項１又は２記載の画像表示装置。
【請求項４】
上記画像取得手段は、縦横比が異なる画像とともに該画像の縦横比を示す情報を取得する手段を含み、
　上記縦横比判別手段は、上記画像取得手段により取得した画像の縦横比を、上記画像取得手段により取得した画像の縦横比を示す情報に基づいて判別することを特徴とする請求項３記載の画像表示装置。
【請求項５】
上記画像取得手段は、縦長画像及び横長画像を取得し、
　上記縦横比判別手段は、上記画像取得手段により取得された画像が縦長画像、横長画像のうちどちらであるかを判別する手段を含むことを特徴とする請求項３又は４記載の画像表示装置。
【請求項６】
上記縦長画像は、カメラを縦に構えて撮影して得られる縦撮影画像であり、上記横長画像は、カメラを横に構えて撮影して得られる横撮影画像であることを特徴とする請求項５記載の画像表示装置。
【請求項７】
上記画像取得手段は、縦横比が異なる画像を取得する撮像手段を含み、
　上記縦長画像は、画像表示装置を縦位置にした状態で上記撮像手段により撮像された画像であり、上記横長画像は、画像表示装置を横位置にした状態で上記撮像手段により撮像された画像であることを特徴とする請求項６記載の画像表示装置。
【請求項８】
上記撮像手段による撮像時点において画像表示装置が縦位置、横位置いずれの状態にあるかを判断する判断手段を備え、
　上記縦横比判別手段は、上記判断手段の判断結果に基づいて、上記撮像手段により撮像された画像が縦長画像、横長画像のうちどちらであるかを判別することを特徴とする請求項７記載の画像表示装置。
【請求項９】
上記撮像手段により撮像された画像及び上記判断手段の判断結果を関連付けて記録する画像記録手段を備え、
　上記画像取得手段は、上記画像記録手段に関連付けて記録されている画像及び上記判断手段の判断結果を取得する手段を含むことを特徴とする請求項８記載の画像表示装置。
【請求項１０】
上記表示制御手段は、上記縦横比判別手段により縦長画像であると判別された場合、上記検出手段での検出結果に基づいて上記画像表示手段に表示する縦長画像の表示方向及び表示サイズを変更することを特徴とする請求項５乃至９いずれかに記載の画像表示装置。
【請求項１１】
上記表示制御手段は、上記検出手段により表示画面が横長となっている状態が検出された場合、縦長画像を上記画像表示手段の表示画面の左右端部分を除く中央部分に表示させる一方で、上記検出手段により表示画面が縦長となっている状態が検出された場合は縦長画像を上記表示画面全域を利用して表示させることを特徴とする請求項１０記載の画像表示装置。
【請求項１２】
上記表示制御手段は、上記縦横比判別手段により横長画像であると判別された場合、上記検出手段での検出結果に基づいて上記画像表示手段に表示する横長画像の表示方向及び表示サイズを変更することを特徴とする請求項５乃至１１いずれかに記載の画像表示装置。
【請求項１３】
上記表示制御手段は、上記検出手段により表示画面が縦長となっている状態が検出された場合、横長画像を上記画像表示手段の表示画面の上下端部分を除く中央部分に表示させる一方で、上記検出手段により表示画面が横長となっている状態が検出された場合は横長画像を上記表示画面全域を利用して表示させることを特徴とする請求項１２記載の画像表示装置。
【請求項１４】
画像を記録する画像記録手段を備え、
　上記画像取得手段は、上記画像記録手段に記録されている画像を取得する手段を含むことを特徴とする請求項１乃至１３いずれかに記載の画像表示装置。
【請求項１５】
上記画像記録手段は、複数の画像を記録する手段を含み、
　上記画像記録手段に記録されている複数の画像データの中から少なくとも１つの画像を選択する選択手段をさらに備え、
　上記画像取得手段は、上記選択手段により選択された画像を取得する手段を含むことを特徴とする請求項１４記載の画像表示装置。
【請求項１６】
上記画像取得手段は、縦横比が異なる画像を取得する撮像手段を含むことを特徴とする請求項１乃至６いずれかに記載の画像表示装置。
【請求項１７】
第１の画像再生モードを任意に設定するモード設定手段をさらに備え、
　上記表示制御手段は、上記モード設定手段により第１の画像再生モードが設定されている場合に、上記検出手段での検出結果に基づいて上記画像表示手段に表示する画像の表示方向及び表示サイズを変更することを特徴とする請求項１乃至１６いずれかに記載の画像表示装置。
【請求項１８】
上記画像取得手段により取得した画像の縦横比を判別する縦横比判別手段をさらに備え、
　上記モード設定手段は、さらに上記第１の画像再生モードとは異なる第２の画像再生モードを任意に設定する手段を含み、
　上記表示制御手段は、さらに上記モード設定手段により第２の画像再生モードが設定されている場合、上記縦横比判別手段での判別結果に基づいて上記画像表示手段に表示する画像の表示方向及び表示サイズを変更する手段を含むことを特徴とする請求項１７記載の画像表示装置。
【請求項１９】
縦横比が異なる画像を取得する画像取得手段と、
　この画像取得手段により取得した画像を表示する、表示画面の縦横比が異なる画像表示手段と、
　前記画像取得手段により取得された画像の縦横比を示す情報を取得する縦横比取得手段と、
　この縦横比取得手段により取得された画像の縦横比を示す情報に基づいて、上記画像表示手段に表示する画像の表示方向及び表示サイズを決定する表示制御手段と
を具備したことを特徴とする画像表示装置。
【請求項２０】
上記画像取得手段は、縦長画像及び横長画像を取得し、
　上記縦横比取得手段により取得された画像の縦横比を示す情報に基づいて、上記画像取得手段により取得された画像が縦長画像、横長画像のうちどちらであるかを判別する判別手段をさらに備え、
　上記表示制御手段は、上記判別手段による判別結果に基づいて、上記画像表示手段に表示する画像の表示方向及び表示サイズを決定することを特徴とする請求項１９記載の画像表示装置。
【請求項２１】
上記画像取得手段は、縦横比が異なる画像を受信する受信手段を含むことを特徴とする請求項１９又は２０記載の画像表示装置。
【請求項２２】
第１の画像再生モードを任意に設定するモード設定手段をさらに備え、
　上記表示制御手段は、上記モード設定手段により第１の画像再生モードが設定されている場合に、上記縦横比取得手段により取得された画像の縦横比を示す情報に基づいて上記画像表示手段に表示する画像の表示方向及び表示サイズを決定することを特徴とする請求項１９乃至２１いずれかに記載の画像表示装置。
【請求項２３】
縦横比が異なる画像を取得する画像取得工程と、
　この画像取得工程で取得した画像を表示する、表示画面の縦横比が異なる画像表示部の向きを検出する検出工程と、
　この検出工程での検出結果に基づいて、上記画像表示部に表示する画像の表示方向及び表示サイズを変更する表示制御工程と
を有したことを特徴とする画像表示方法。
【請求項２４】
縦横比が異なる画像を取得する画像取得工程と、
　この画像取得工程で取得した画像の縦横比を示す情報を取得する縦横比取得工程と、
　この縦横比取得工程で取得した画像の縦横比を示す情報に基づいて、表示画面の縦横比が異なる画像表示部に表示する画像の表示方向及び表示サイズを決定する表示制御工程と
を有したことを特徴とする画像表示方法。
【請求項２５】
縦横比が異なる画像を取得する画像取得工程と、
　この画像取得工程で取得した画像を表示する、表示画面の縦横比が異なる画像表示部の向きを検出する検出工程と、
　この検出工程での検出結果に基づいて、上記画像表示部に表示する画像の表示方向及び表示サイズを変更する表示制御工程と
をコンピュータに実行させることを特徴とするプログラム。
【請求項２６】
縦横比が異なる画像を取得する画像取得工程と、
　この画像取得工程で取得した画像の縦横比を示す情報を取得する縦横比取得工程と、
　この縦横比取得工程で取得した画像の縦横比を示す情報に基づいて、表示画面の縦横比が異なる画像表示部に表示する画像の表示方向及び表示サイズを決定する表示制御工程と
をコンピュータに実行させることを特徴とするプログラム。
【発明の詳細な説明】
【技術分野】
【０００１】
　本発明は、デジタルカメラに用いることが可能な画像表示装置、画像表示方法及びプログラムに関する。
【背景技術】
【０００２】
　従来より、縦位置撮影時にバッファメモリに保持した画像データの読出し方法を変えることにより、液晶表示パネル上で表示されるスーパーインポーズ映像を正しい方向に表示させて見易くさせるようにしたものがあった。（例えば、特許文献１参照。）
　また、カメラ背面の画像表示ＬＣＤを回転可能な回転板上に支持し、該ＬＣＤに表示される画像の向きに対応して回転板を回転操作することにより、正しい向きの画像が表示されるようにしたものがあった。（例えば、特許文献２参照。）
【特許文献１】特開平１１−２６１８９１号公報
【特許文献２】特開２０００−２９５５０９号公報
【発明の開示】
【発明が解決しようとする課題】
【０００３】
　しかしながら上記特許文献１の技術は、撮影時にカメラ本体に設けられた液晶表示パネルで表示されるスーパーインポーズ映像を、カメラ本体とは別に設けたＴＶモニタで表示される撮影画像と整合して正しい方向に表示させて見易くすることを目的とするものであり、例えばデジタルスチルカメラなどにおいて、一旦記録した画像を再生する際にその画像が縦横いずれの方向で撮影されたものであるのかを考慮するものではない。
【０００４】
　また、上記特許文献２の技術は、カメラの背面に設けられる回転板をユーザが操作することで正しい向きの画像を回転板上の画像表示ＬＣＤに表示するようにしたものであり、画像の向きが正しくなるように回転板の回転の方向を判断し、その判断結果に基づいて回転操作を行なうのはユーザ自身である。
【０００５】
　加えて特許文献２の技術では、画像表示ＬＣＤは、円板状の回転板に対して設けられるものであり、カメラ背面の一部を占める回転板のさらにその内側に設けられるものであって、結果としてカメラ背面におけるＬＣＤの面積は大変小さなものとなってしまう。
【０００６】
　したがって、ＬＣＤに画像を正しい向きで表示できるにしても、ＬＣＤの面積自体が小さいため、結果として画像中の詳細部の確認が困難で見えにくい表示しかできない可能性がある。
【０００７】
　本発明は上記のような実情に鑑みてなされたもので、その目的とするところは、表示画面の面積を有効に活用し、再生画像をより見易い状態で表示することが可能な画像表示装置、画像表示方法及びプログラムを提供することにある。
【課題を解決するための手段】
【０００８】
　請求項１記載の発明は、縦横比が異なる画像を取得する画像取得手段と、この画像取得手段により取得された画像を表示する、表示画面の縦横比が異なる画像表示手段と、この画像表示手段の表示画面の向きを検出する検出手段と、この検出手段での検出結果に基づいて、上記画像表示手段に表示する画像の表示方向及び表示サイズを変更する表示制御手段とを具備したことを特徴とする。
【０００９】
　このような構成とすれば、取得した画像をその時点での表示画面の向きに対応して正しい向きで且つ表示サイズを代えて表示させるようにしたため、装置のユーザに見易い画像を提供できる。
【００１０】
　請求項２記載の発明は、上記請求項１記載の発明において、画像表示装置が縦向き及び横向きのいずれの状態で保持されているのかを判断する判断手段を備え、上記検出手段は、上記判断手段の判断結果に基づいて、表示画面の向きを検出することを特徴とする。
　このような構成とすれば、上記請求項１記載の発明の作用に加えて、取得した画像をその時点で画像表示装置が縦向き及び横向きのいずれの状態で保持されているのかに対応して正しい向きで且つ表示サイズを代えて表示させることができる。
【００１１】
　請求項３記載の発明は、上記請求項１又は２記載の発明において、上記画像取得手段により取得した画像の縦横比を判別する縦横比判別手段をさらに備え、上記表示制御手段は、上記縦横比判別手段での判別結果及び上記検出手段での検出結果に基づいて上記画像表示手段に表示する画像の表示方向及び表示サイズを変更することを特徴とする。
　このような構成とすれば、上記請求項１又は２記載の発明の作用に加えて、表示画面の向きを変えなくても縦横比の異なる画像（縦長画像及び横長画像）を正しい向きで表示させることができるため、表示サイズを変更して確認したい時だけ表示画面の向きを変える、といった使い方が可能になる。
【００１２】
　請求項４記載の発明は、上記請求項３記載の発明において、上記画像取得手段は、縦横比が異なる画像とともに該画像の縦横比を示す情報を取得する手段を含み、上記縦横比判別手段は、上記画像取得手段により取得した画像の縦横比を、上記画像取得手段により取得した画像の縦横比を示す情報に基づいて判別することを特徴とする。
【００１３】
　このような構成とすれば、上記請求項３記載の発明の作用に加えて、画像の縦横比を示す情報に基づいて画像の縦横比を容易に判別して判別結果に基づいた表示制御を行なうことが可能になる。
【００１４】
　請求項５記載の発明は、上記請求項３又は４記載の発明において、上記画像取得手段は、縦長画像及び横長画像を取得し、上記縦横比判別手段は、上記画像取得手段により取得された画像が縦長画像、横長画像のうちどちらであるかを判別する手段を含むことを特徴とする。
【００１５】
　このような構成とすれば、上記請求項３又は４記載の発明の作用に加えて、縦長画像及び横長画像に適した表示制御を行なうことが可能になる。
【００１６】
　請求項６記載の発明は、上記請求項５記載の発明において、上記縦長画像は、カメラを縦に構えて撮影して得られる縦撮影画像であり、上記横長画像は、カメラを横に構えて撮影して得られる横撮影画像であることを特徴とする。
【００１７】
　このような構成とすれば、上記請求項５記載の発明の作用に加えて、撮像時の方向に合せて正しい向きで画像を表示させることができる。
【００１８】
　請求項７記載の発明は、上記請求項６記載の発明において、上記画像取得手段は、縦横比が異なる画像を取得する撮像手段を含み、上記縦長画像は、画像表示装置を縦位置にした状態で上記撮像手段により撮像された画像であり、上記横長画像は、画像表示装置を横位置にした状態で上記撮像手段により撮像された画像であることを特徴とする。
【００１９】
　このような構成とすれば、上記請求項６記載の発明の作用に加えて、画像再生時、画像表示装置を撮像時と同じように保持すれば、表示画面を有効に利用して画像を表示させることができる。
【００２０】
　請求項８記載の発明は、上記請求項７記載の発明において、上記撮像手段による撮像時点において画像表示装置が縦位置、横位置いずれの状態にあるかを判断する判断手段を備え、上記縦横比判別手段は、上記判断手段の判断結果に基づいて、上記撮像手段により撮像された画像が縦長画像、横長画像のうちどちらであるかを判別することを特徴とする。
【００２１】
　このような構成とすれば、上記請求項７記載の発明の作用に加えて、撮像された画像が縦長画像、横長画像のうちどちらであるかを自動判別するので、ユーザ自身が撮像された画像が縦長画像、横長画像のうちどちらであるかを判別するといった手間を省くことができる。
【００２２】
　請求項９記載の発明は、上記請求項８記載の発明において、上記撮像手段により撮像された画像及び上記判断手段の判断結果を関連付けて記録する画像記録手段を備え、上記画像取得手段は、上記画像記録手段に関連付けて記録されている画像及び上記判断手段の判断結果を取得する手段を含むことを特徴とする。
【００２３】
　このような構成とすれば、上記請求項８記載の発明の作用に加えて、ユーザが手動操作により撮像された画像が縦長画像、横長画像のうちどちらであるかを入力するといった手間を省くことができる。
【００２４】
　請求項１０記載の発明は、上記請求項５乃至９いずれかに記載の発明において、上記表示制御手段は、上記縦横比判別手段により縦長画像であると判別された場合、上記検出手段での検出結果に基づいて上記画像表示手段に表示する縦長画像の表示方向及び表示サイズを変更することを特徴とする。
【００２５】
　このような構成とすれば、上記請求項５乃至９いずれかに記載の発明の作用に加えて、縦長画像をその時点で縦長となっている表示画面に合せて表示させるため、通常は横長画像用として使用する表示画面であってもその面積を有効に活用して縦長画像をより大きく表示できる。
【００２６】
　請求項１１記載の発明は、上記請求項１０記載の発明において、上記表示制御手段は、上記検出手段により表示画面が横長となっている状態が検出された場合、縦長画像を上記画像表示手段の表示画面の左右端部分を除く中央部分に表示させる一方で、上記検出手段により表示画面が縦長となっている状態が検出された場合は縦長画像を上記表示画面全域を利用して表示させることを特徴とする。
【００２７】
　このような構成とすれば、上記請求項１０記載の発明の作用に加えて、縦長画像をその時点での表示画面の向きに対応してできるだけ大きく表示させることができる。
【００２８】
　請求項１２記載の発明は、上記請求項５乃至１１いずれかに記載の発明において、上記表示制御手段は、上記縦横比判別手段により横長画像であると判別された場合、上記検出手段での検出結果に基づいて上記画像表示手段に表示する横長画像の表示方向及び表示サイズを変更することを特徴とする。
【００２９】
　このような構成とすれば、上記請求項５乃至１１いずれかに記載の発明の作用に加えて、横長画像をその時点で横長となっている表示画面に合せて表示させるため、表示画面の面積を有効に活用して横長画像をより大きく表示できる。
【００３０】
　請求項１３記載の発明は、上記請求項１２記載の発明において、上記表示制御手段は、上記検出手段により表示画面が縦長となっている状態が検出された場合、横長画像を上記画像表示手段の表示画面の上下端部分を除く中央部分に表示させる一方で、上記検出手段により表示画面が横長となっている状態が検出された場合は横長画像を上記表示画面全域を利用して表示させることを特徴とする。
【００３１】
　このような構成とすれば、上記請求項１２記載の発明の作用に加えて、横長画像をその時点での表示画面の向きに対応してできるだけ大きく表示させることができる。
【００３２】
　請求項１４記載の発明は、上記請求項１乃至１３いずれかに記載の発明において、画像を記録する画像記録手段を備え、上記画像取得手段は、上記画像記録手段に記録されている画像を取得する手段を含むことを特徴とする。
【００３３】
　このような構成とすれば、上記請求項１乃至１３いずれかに記載の発明の作用に加えて、画像記録手段から読み出した画像をその時点での表示画面の向きに対応して正しい向きで且つ表示サイズを代えて表示させることができる。
【００３４】
　請求項１５記載の発明は、上記請求項１４記載の発明において、上記画像記録手段は、複数の画像を記録する手段を含み、上記画像記録手段に記録されている複数の画像データの中から少なくとも１つの画像を選択する選択手段をさらに備え、上記画像取得手段は、上記選択手段により選択された画像を取得する手段を含むことを特徴とする。
【００３５】
　このような構成とすれば、上記請求項１４記載の発明の作用に加えて、画像記録手段から選択的に読み出される画像をその時点での表示画面の向きに対応して正しい向きで且つ表示サイズを代えて表示させることができる。
【００３６】
　請求項１６記載の発明は、上記請求項１乃至６いずれかに記載の発明において、上記画像取得手段は、縦横比が異なる画像を取得する撮像手段を含むことを特徴とする。
【００３７】
　このような構成とすれば、上記請求項１乃至６いずれかに記載の発明の作用に加えて、撮像手段により取得された画像をその時点での表示画面の向きに対応して正しい向きで且つ表示サイズを代えて表示させることができる。
【００３８】
　請求項１７記載の発明は、上記請求項１乃至１６いずれかに記載の発明において、第１の画像再生モードを任意に設定するモード設定手段をさらに備え、上記表示制御手段は、上記モード設定手段により第１の画像再生モードが設定されている場合に、上記検出手段での検出結果に基づいて上記画像表示手段に表示する画像の表示方向及び表示サイズを変更することを特徴とする。
【００３９】
　このような構成とすれば、上記請求項１乃至１６いずれかに記載の発明の作用に加えて、ユーザが必要と判断した場合にのみ、取得した画像をその時点での表示画面の向きに対応して正しい向きで且つ表示サイズを代えて表示させることができる。
【００４０】
　請求項１８記載の発明は、上記請求項１７記載の発明において、上記画像取得手段により取得した画像の縦横比を判別する縦横比判別手段をさらに備え、上記モード設定手段は、さらに上記第１の画像再生モードとは異なる第２の画像再生モードを任意に設定する手段を含み、上記表示制御手段は、さらに上記モード設定手段により第２の画像再生モードが設定されている場合、上記縦横比判別手段での判別結果に基づいて上記画像表示手段に表示する画像の表示方向及び表示サイズを変更する手段を含むことを特徴とする。
【００４１】
　このような構成とすれば、上記請求項１７記載の発明の作用に加えて、ユーザが表示画面の向きに応じた表示制御を行なう必要がないと判断した場合は、通常の表示制御を行なわせることで特別な表示制御が不要になるので処理負担を軽減させることができる。
【００４２】
　請求項１９記載の発明は、縦横比が異なる画像を取得する画像取得手段と、この画像取得手段により取得した画像を表示する、表示画面の縦横比が異なる画像表示手段と、前記画像取得手段により取得された画像の縦横比を示す情報を取得する縦横比取得手段と、この縦横比取得手段により取得された画像の縦横比を示す情報に基づいて、上記画像表示手段に表示する画像の表示方向及び表示サイズを決定する表示制御手段とを具備したことを特徴とする。
【００４３】
　このような構成とすれば、縦横比が異なる画像をともに表示画面の面積を有効に活用して表示させることができる。
【００４４】
　請求項２０記載の発明は、上記請求項１９記載の発明において、上記画像取得手段は、縦長画像及び横長画像を取得し、上記縦横比取得手段により取得された画像の縦横比を示す情報に基づいて、上記画像取得手段により取得された画像が縦長画像、横長画像のうちどちらであるかを判別する判別手段をさらに備え、上記表示制御手段は、上記判別手段による判別結果に基づいて、上記画像表示手段に表示する画像の表示方向及び表示サイズを決定することを特徴とする。
【００４５】
　このような構成とすれば、上記請求項１９記載の発明の作用に加えて、縦長画像、横長画像ともに表示画面の面積を有効に活用して表示させることができる。
【００４６】
　請求項２１記載の発明は、上記請求項１９又は２０記載の発明において、上記画像取得手段は、縦横比が異なる画像を受信する受信手段を含むことを特徴とする。
【００４７】
　このような構成とすれば、上記請求項１９又は２０記載の発明の作用に加えて、縦横比が異なる受信画像をともに表示画面の面積を有効に活用して表示させることができる。
【００４８】
　請求項２２記載の発明は、上記請求項１９乃至２１いずれかに記載の発明において、第１の画像再生モードを任意に設定するモード設定手段をさらに備え、上記表示制御手段は、上記モード設定手段により第１の画像再生モードが設定されている場合に、上記縦横比取得手段により取得された画像の縦横比を示す情報に基づいて上記画像表示手段に表示する画像の表示方向及び表示サイズを決定することを特徴とする。
【００４９】
　このような構成とすれば、上記請求項１９乃至２１いずれかに記載の発明の作用に加えて、ユーザが必要と判断した場合にのみ、縦横比が異なる画像を表示画面の面積を有効に活用して表示させることができる。
【００５０】
　請求項２３記載の発明は、縦横比が異なる画像を取得する画像取得工程と、この画像取得工程で取得した画像を表示する、表示画面の縦横比が異なる画像表示部の向きを検出する検出工程と、この検出工程での検出結果に基づいて、上記画像表示部に表示する画像の表示方向及び表示サイズを変更する表示制御工程とを有したことを特徴とする。
【００５１】
　このような方法とすれば、縦横比の異なる画像をその時点での表示画面の向きに対応して正しい向きで表示させるようにしたため、装置のユーザに見易い画像を提供できる。
【００５２】
　請求項２４記載の発明は、縦横比が異なる画像を取得する画像取得工程と、この画像取得工程で取得した画像の縦横比を示す情報を取得する縦横比取得工程と、この縦横比取得工程で取得した画像の縦横比を示す情報に基づいて、表示画面の縦横比が異なる画像表示部に表示する画像の表示方向及び表示サイズを決定する表示制御工程とを有したことを特徴とする。
【００５３】
　このような方法とすれば、縦横比が異なる画像をともに表示画面の面積を有効に活用して表示させることができる。
【００５４】
　請求項２５記載の発明は、縦横比が異なる画像を取得する画像取得工程と、この画像取得工程で取得した画像を表示する、表示画面の縦横比が異なる画像表示部の向きを検出する検出工程と、この検出工程での検出結果に基づいて、上記画像表示部に表示する画像の表示方向及び表示サイズを変更する表示制御工程とをコンピュータに実行させることを特徴とする。
【００５５】
　このようなプログラム内容とすれば、縦横比の異なる画像をその時点での表示画面の向きに対応して正しい向きで表示させるようにしたため、装置のユーザに見易い画像を提供できる。
【００５６】
　請求項２６記載の発明は、縦横比が異なる画像を取得する画像取得工程と、この画像取得工程で取得した画像の縦横比を示す情報を取得する縦横比取得工程と、この縦横比取得工程で取得した画像の縦横比を示す情報に基づいて、表示画面の縦横比が異なる画像表示部に表示する画像の表示方向及び表示サイズを決定する表示制御工程とをコンピュータに実行させることを特徴とする。
【００５７】
　このようなプログラム内容とすれば、縦横比が異なる画像をともに表示画面の面積を有効に活用して表示させることができる。
【発明の効果】
【００５８】
　請求項１記載の発明によれば、取得した画像をその時点での表示画面の向きに対応して正しい向きで且つ表示サイズを代えて表示させるようにしたため、装置のユーザに見易い画像を提供できる。
【００５９】
　請求項２記載の発明によれば、上記請求項１記載の発明の効果に加えて、取得した画像をその時点で画像表示装置が縦向き及び横向きのいずれの状態で保持されているのかに対応して正しい向きで且つ表示サイズを代えて表示させることができる。
【００６０】
　請求項３記載の発明によれば、上記請求項１又は２記載の発明の効果に加えて、表示画面の向きを変えなくても縦横比の異なる画像（縦長画像及び横長画像）を正しい向きで表示させることができるため、表示サイズを変更して確認したい時だけ表示画面の向きを変える、といった使い方が可能になる。
【００６１】
　請求項４記載の発明によれば、上記請求項３記載の発明の効果に加えて、画像の縦横比を示す情報に基づいて画像の縦横比を容易に判別して判別結果に基づいた表示制御を行なうことが可能になる。
【００６２】
　請求項５記載の発明によれば、上記請求項３又は４記載の発明の効果に加えて、縦長画像及び横長画像に適した表示制御を行なうことが可能になる。
【００６３】
　請求項６記載の発明によれば、上記請求項５記載の発明の効果に加えて、撮像時の方向に合せて正しい向きで画像を表示させることができる。
【００６４】
　請求項７記載の発明によれば、上記請求項６記載の発明の効果に加えて、画像再生時、画像表示装置を撮像時と同じように保持すれば、表示画面を有効に利用して画像を表示させることができる。
【００６５】
　請求項８記載の発明によれば、上記請求項７記載の発明の効果に加えて、撮像された画像が縦長画像、横長画像のうちどちらであるかを自動判別するので、ユーザ自身が撮像された画像が縦長画像、横長画像のうちどちらであるかを判別するといった手間を省くことができる。
【００６６】
　請求項９記載の発明によれば、上記請求項８記載の発明の効果に加えて、ユーザが手動操作により撮像された画像が縦長画像、横長画像のうちどちらであるかを入力するといった手間を省くことができる。
【００６７】
　請求項１０記載の発明によれば、上記請求項５乃至９いずれかに記載の発明の効果に加えて、縦長画像をその時点で縦長となっている表示画面に合せて表示させるため、通常は横長画像用として使用する表示画面であってもその面積を有効に活用して縦長画像をより大きく表示できる。
【００６８】
　請求項１１記載の発明によれば、上記請求項１０記載の発明の効果に加えて、縦長画像をその時点での表示画面の向きに対応してできるだけ大きく表示させることができる。
【００６９】
　請求項１２記載の発明によれば、上記請求項５乃至１１いずれかに記載の発明の効果に加えて、横長画像をその時点で横長となっている表示画面に合せて表示させるため、表示画面の面積を有効に活用して横長画像をより大きく表示できる。
【００７０】
　請求項１３記載の発明によれば、上記請求項１２記載の発明の効果に加えて、横長画像をその時点での表示画面の向きに対応してできるだけ大きく表示させることができる。
【００７１】
　請求項１４記載の発明によれば、上記請求項１乃至１３いずれかに記載の発明の効果に加えて、画像記録手段から読み出した画像をその時点での表示画面の向きに対応して正しい向きで且つ表示サイズを代えて表示させることができる。
【００７２】
　請求項１５記載の発明によれば、上記請求項１４記載の発明の効果に加えて、画像記録手段から選択的に読み出される画像をその時点での表示画面の向きに対応して正しい向きで且つ表示サイズを代えて表示させることができる。
【００７３】
　請求項１６記載の発明によれば、上記請求項１乃至６いずれかに記載の発明の効果に加えて、撮像手段により取得された画像をその時点での表示画面の向きに対応して正しい向きで且つ表示サイズを代えて表示させることができる。
【００７４】
　請求項１７記載の発明によれば、上記請求項１乃至１６いずれかに記載の発明の効果に加えて、ユーザが必要と判断した場合にのみ、取得した画像をその時点での表示画面の向きに対応して正しい向きで且つ表示サイズを代えて表示させることができる。
【００７５】
　請求項１８記載の発明によれば、上記請求項１７記載の発明の効果に加えて、ユーザが表示画面の向きに応じた表示制御を行なう必要がないと判断した場合は、通常の表示制御を行なわせることで特別な表示制御が不要になるので処理負担を軽減させることができる。
【００７６】
　請求項１９記載の発明によれば、縦横比が異なる画像をともに表示画面の面積を有効に活用して表示させることができる。
【００７７】
　請求項２０記載の発明によれば、上記請求項１９記載の発明の効果に加えて、縦長画像、横長画像ともに表示画面の面積を有効に活用して表示させることができる。
【００７８】
　請求項２１記載の発明によれば、上記請求項１９又は２０記載の発明の効果に加えて、縦横比が異なる受信画像をともに表示画面の面積を有効に活用して表示させることができる。
【００７９】
　請求項２２記載の発明によれば、上記請求項１９乃至２１いずれかに記載の発明の効果に加えて、ユーザが必要と判断した場合にのみ、縦横比が異なる画像を表示画面の面積を有効に活用して表示させることができる。
【００８０】
　請求項２３記載の発明によれば、縦横比の異なる画像をその時点での表示画面の向きに対応して正しい向きで表示させるようにしたため、装置のユーザに見易い画像を提供できる。
【００８１】
　請求項２４記載の発明によれば、縦横比が異なる画像をともに表示画面の面積を有効に活用して表示させることができる。
【００８２】
　請求項２５記載の発明によれば、縦横比の異なる画像をその時点での表示画面の向きに対応して正しい向きで表示させるようにしたため、装置のユーザに見易い画像を提供できる。
【００８３】
　請求項２６記載の発明によれば、縦横比が異なる画像をともに表示画面の面積を有効に活用して表示させることができる。
【発明を実施するための最良の形態】
【００８４】
　（第１の実施形態）　
　以下本発明をデジタルスチルカメラ（以下「デジタルカメラ」と略称する）に適用した場合の第１の実施形態について図面を参照して説明する。
【００８５】
　図１はその回路構成を示すもので、１０がデジタルカメラである。このデジタルカメラ１０は、基本モードとして撮影モードと再生モードとを切換えて設定可能であり、撮影モードでのモニタリング状態においては、モータ（Ｍ）１１の駆動により合焦位置や絞り位置が移動されるレンズ光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１フレーム分出力する。
【００８６】
　この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換されてカラープロセス回路１８へ出力される。
【００８７】
　このカラープロセス回路１８は、Ａ／Ｄ変換器１７から送られてくる画像のデジタルデータに対する画素補間処理及びγ補正処理を含むカラープロセス処理を行ない、デジタル値の輝度信号Ｙ及び色差信号Ｃｂ，Ｃｒを生成してＤＭＡ（Ｄｉｒｅｃｔ　Ｍｅｍｏｒｙ　Ａｃｃｅｓｓ）コントローラ１９に出力する。
【００８８】
　ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送出力する。
【００８９】
　制御部２２は、このデジタルカメラ１０全体の動作制御を司るべく、ＣＰＵと動作プログラムを記憶したＲＯＭ、ワークメモリとしてのＲＡＭ等から構成されるものであり、上記輝度及び色差信号のＤＲＡＭ２１へのＤＭＡ転送終了後に、この輝度及び色差信号をＤＲＡＭインタフェース２０を介してＤＲＡＭ２１より読出し、ＶＲＡＭコントローラ２３を介してＶＲＡＭ２４に書込む。
【００９０】
　デジタルビデオエンコーダ２５は、上記輝度及び色差信号をＶＲＡＭコントローラ２３を介してＶＲＡＭ２４より定期的に読出し、これらのデータを元にビデオ信号を発生して表示部２６に出力する。
【００９１】
　この表示部２６は、例えばバックライト付のカラー液晶表示パネルとその駆動回路とで構成され、デジタルカメラ１０本体の背面側に固定的に配設されて、撮影モード時にはモニタ表示部（電子ファインダ）として機能するもので、デジタルビデオエンコーダ２５からのビデオ信号に基づいた表示を行なうことで、その時点でＣＣＤ１３での撮像によりＶＲＡＭコントローラ２３から取込んでいる画像情報に基づく画像を表示することとなる。
【００９２】
　このように表示部２６にその時点での画像をモニタ画像としてリアルタイムに表示させている状態で、静止画撮影を行ないたいタイミングでキー入力部２７を構成する複数のキー中のシャッタキーを操作すると、トリガ信号を発生する。
【００９３】
　制御部２２は、このトリガ信号に応じてその時点でＣＣＤ１３から取込んでいる１フレーム分の輝度及び色差信号のＤＲＡＭ２１へのＤＭＡ転送の終了後、直ちにＣＣＤ１３からＤＲＡＭ２１への経路を停止し、記録保存の状態に遷移する。
【００９４】
　この記録保存の状態では、制御部２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出してＪＰＥＧ（Ｊｏｉｎｔ　Ｐｈｏｔｏｇｒａｐｈ　ｃｏｄｉｎｇ　Ｅｘｐｅｒｔｓ　Ｇｒｏｕｐ）回路２８に書込み、このＪＰＥＧ回路２８でＡＤＣＴ（Ａｄａｐｔｉｖｅ　Ｄｉｓｃｒｅｔｅ　Ｃｏｓｉｎｅ　Ｔｒａｎｓｆｏｒｍ：適応離散コサイン変換）、エントロピ符号化方式であるハフマン符号化等の処理によりデータ圧縮する。
【００９５】
　そして、得た符号データを１フレームのデータファイルとして該ＪＰＥＧ回路２８から読出し、このデジタルカメラ１０の記録媒体として着脱自在に装着される、不揮発性メモリであるフラッシュメモリを封入したメモリカード２９に書込む。
【００９６】
　そして、１フレーム分の輝度及び色差信号の圧縮処理及びメモリカード２９への全圧縮データの書込み終了に伴なって、制御部２２はＣＣＤ１３からＤＲＡＭ２１への経路を再び起動する。
【００９７】
　なお、制御部２２にはさらに、縦横センサ３０が接続される。　
　縦横センサ３０は、このデジタルカメラ１０の筐体内に例えば一対の傾斜センサが直交する方向に配設されて構成されるもので、デジタルカメラ１０を一般的な横長画像が撮影される状態（以下「横位置」と称する）に構えて保持された場合、及び縦長画像が撮影される状態（以下「縦位置」と称する）に構えて保持された場合を検出して上記制御部２２へ検出結果を出力する。
【００９８】
　また、上記キー入力部２７は、上述したシャッタキーの他に、基本モードである撮影（ＲＥＣ）モードと再生（ＰＬＡＹ）モードとを切換えるモード切換えキー、各種メニュー項目を表示させる「メニュー」キー、画像や各種詳細モードの選択、メニュー選択項目の指定等のために上下左右各方向を指示するための十字キー、この十字キーの中央部に配置され、その時点で選択されている内容を指示設定する「セット」キー、上記表示部２６での表示をオン／オフするディスプレイキー等から構成され、それらのキー操作に伴なう信号は直接制御部２２へ送出される。
【００９９】
　次に上記実施形態の動作について説明する。
【０１００】
　なお、ここでは上記ＣＣＤ１３での撮像により得られ、メモリカード２９に記録される画像データのアスペクト比（縦横比）と、上記表示部２６で表示可能な画像のアスペクト比は共に例えば３：４で同一であるものとし、画像データの撮影時の向きを考えなければ、画像データを表示部２６の表示画面全域を使用して表示することが可能であるものとする。
【０１０１】
　図２は、基本モードとして撮影モードが選択されている状態で主として制御部２２が実行する動作プログラムに基づいた処理内容を示すものである。　
　その処理当初には、ＣＣＤ１３で撮像されている画像をそのままバッファメモリであるＤＲＡＭ２１に逐次保持し、表示部２６でモニタ表示するスルー画像表示状態としながら（ステップＡ０１）、キー入力部２７のシャッタキーが押圧操作されたか否かを判断する（ステップＡ０２）、という処理を繰返し実行して、スルー画像表示状態から該シャッタキーの操作がなされるのを待機する。
【０１０２】
　しかして、ステップＡ０２でシャッタキーが押圧操作されたと判断した時点で、直ちに撮影処理を実行する（ステップＡ０３）。
【０１０３】
　このとき、縦横センサ３０からの出力によりその撮影がデジタルカメラ１０を縦位置にしてなされたものであるか否かを判断する（ステップＡ０４）。
【０１０４】
　縦位置であったと判断した場合、制御部２２は撮影により得た画像データに縦位置撮影を示すフラグ情報を関連付けて（画像ファイル内にフラグ情報を埋め込むようにしてもよい）メモリカード２９に記録設定し（ステップＡ０５）、以上で一連の撮影に関する処理を一旦終了し、次の撮影に備えるべく、再び上記ステップＡ０１からの処理に戻る。
【０１０５】
　また、上記ステップＡ０４で撮影が縦位置ではなかったと判断した場合、横位置で撮影がなされたものとして、制御部２２は撮影により得た画像データに横位置撮影を示すフラグ情報を関連付けてメモリカード２９に記録設定し（ステップＡ０６）、以上で一連の撮影に関する処理を一旦終了し、次の撮影に備えるべく、再び上記ステップＡ０１からの処理に戻る。
【０１０６】
　このように、撮影時にはその撮影位置を示すフラグ情報が画像データに関連付けられてメモリカード２９に記録されることとなる。
【０１０７】
　なお、縦位置撮影により得られた画像データに対して縦位置撮影を示すフラグ情報を関連付けて記録するとともに、横位置撮影により得られた画像データに対して横位置撮影を示すフラグ情報を関連付けて記録するようにしたが、縦位置撮影を示すフラグ情報と横位置撮影を示すフラグ情報のうちいずれか一方のみ画像データに関連付けて記録するようにしてもよく、このように構成した場合でも画像データが横位置撮影により得られた画像データなのか、それとも縦位置撮影により得られた画像データなのかを判別することができる。
【０１０８】
　次に上記のようにして撮影位置を示すフラグ情報を関連付けて記録した画像データをメモリカード２９から読出して表示部２６で再生表示させる場合の動作について説明する。
【０１０９】
　図３は、基本モードとしてキー入力部２７のモード切換えキーがユーザにより操作されることにより通常再生モードが選択されている状態で主として制御部２２が実行する動作プログラムに基づいた処理内容を示すものである。
【０１１０】
　その再生モード開始当初には、メモリカード２９に記録されている画像データの中で最もデート情報が新しいものを選択し（ステップＡ１１）、その画像データに縦位置撮影を示すフラグ情報が関連付けられているか否かにより、その画像が縦長画像であるか否かを判断する（ステップＡ１２）。
【０１１１】
　ここで、縦位置撮影を示すフラグ情報が関連付けられており、その画像データが縦長画像であった場合には、図５（Ａ）に示すように、画像データを９０°回転処理し、併せてリサイズ、具体的には長さ比で３／４に縮小して表示部２６の表示画面の中央部を使用して再生表示する（ステップＡ１３）。
【０１１２】
　また、ステップＡ１２で横位置撮影を示すフラグ情報が関連付けられており、その画像データが横長画像であった場合には、図６（Ａ）に示した如く横位置撮影で得た画像を、横位置に構えられたデジタルカメラ１０の表示部２６の表示画面全域で再生表示する（ステップＡ１４）。
【０１１３】
　その後、画像をスクロールして新たに選択するための十字キー２７ｃのキー操作があるか否かを判断し（ステップＡ１５）、十字キー２７ｃのキー操作があったと判断した場合には、その操作内容に対応して表示部２６の画面をスクロール更新するべく新たな画像データをメモリカード２９から選択した上で（ステップＡ１６）、上記ステップＡ１２からの処理に戻り、その選択した画像データが縦位置での撮影により得られたものであるか否か判断する。
【０１１４】
　しかして、ステップＢ１１で十字キー２７ｃのキー操作があったと判断した場合には、その操作内容に対応して表示部２６の画面をスクロール更新するべく新たな画像データをメモリカード２９から選択した上で（ステップＢ０７）、再び上記ステップＢ０２からの処理に戻る。
【０１１５】
　図４は、基本モードとしてキー入力部２７のモード切換えキーがユーザにより操作されることにより本発明に係る拡大再生モードが選択されている状態で主として制御部２２が実行する動作プログラムに基づいた処理内容を示すものである。　
　その再生モード開始当初には、メモリカード２９に記録されている画像データの中で最もデート情報が新しいものを選択し（ステップＢ０１）、その画像データに縦位置撮影を示すフラグ情報が関連付けられているか否かにより、その画像が縦長画像であるか否かを判断する（ステップＢ０２）。
【０１１６】
　ここで、縦位置撮影を示すフラグ情報が関連付けられており、その画像データが縦長画像であった場合には、次にその時点でデジタルカメラ１０が縦位置となっているか否かを縦横センサ３０からの検出信号により判断する（ステップＢ０３）。
【０１１７】
　デジタルカメラ１０が縦位置であると判断した場合、メモリカード２９から選択した画像データを読出してＪＰＥＧ回路２８で展開し、表示部２６の表示画面全域を使用して縦位置撮影により得たその画像データを再生表示する（ステップＢ０４）。
【０１１８】
　図５（Ｂ）は、そのような縦位置撮影で得た画像を、縦位置で保持されるデジタルカメラ１０の表示部２６の表示画面全域を使用して大きく再生表示している状態を示す。
【０１１９】
　画像の天地とその時点での表示部２６の天地とが一致しており、自然な方向での再生表示が行なえると共に、表示部２６の表示画面全域を使用しているため、画像をより大きく表示することができる。
【０１２０】
　ここで、デジタルカメラ１０の上面にはシャッタキー２７ａが配設され、同デジタルカメラ１０の背面には表示部２６の他に、モード切換えキー２７ｂ、十字キー２７ｃ、セットキー２７ｄが配設されているものとする。
【０１２１】
　その後、画像をスクロールして新たに選択するための十字キー２７ｃのキー操作があるか否かを判断し（ステップＢ０６）、操作がないと判断した場合は再び上記ステップＢ０３からの処理に戻って、デジタルカメラ１０の縦位置保持が解かれるか、あるいは十字キー２７ｃのキー操作があるまで、上記図５（Ｂ）に示した如く縦位置撮影で得た画像を、縦位置に構えられたデジタルカメラ１０の表示部２６の表示画面全域で再生表示している状態を維持する。
【０１２２】
　しかして、ステップＢ０３で縦横センサ３０の検出出力によりデジタルカメラ１０が縦位置の保持状態ではないと判断すると、上記ステップＢ０４での処理に代えて、その時点での縦横センサ３０の出力に応じて画像データを９０°回転処理し、併せてリサイズ、具体的には長さ比で３／４に縮小して表示部２６の表示画面の中央部を使用して再生表示する（ステップＢ０５）。
【０１２３】
　図５（Ａ）は、そのような縦位置撮影で得た画像を、横位置で保持されるデジタルカメラ１０の表示部２６の表示中央部を使用して再生表示している状態を示す。表示部２６の表示画面の左右各端部を使用せずに中央部を使用して表示しているため、画像の大きさは小さくなってしまうものの、画像の天地とその時点での表示部２６の天地とが一致しており、自然な方向での再生表示が行なえる。
【０１２４】
　こうしてステップＢ０５での再生表示処理後もステップＢ０６に進み、横位置に構えられたデジタルカメラ１０の表示部２６の表示画面の一部で画像を再生表示している状態を維持しながら、画像をスクロールして新たに選択するための十字キー２７ｃのキー操作と、デジタルカメラ１０が縦位置となるのを待機する。
【０１２５】
　しかして、ステップＢ０６で十字キー２７ｃのキー操作があったと判断した場合には、その操作内容に対応して表示部２６の画面をスクロール更新するべく新たな画像データをメモリカード２９から選択した上で（ステップＢ０７）、上記ステップＢ０２からの処理に戻り、その選択した画像データが縦位置での撮影により得られたものであるか否か判断する。
【０１２６】
　ここで、新たに選択された画像データに関連付けられているフラグ情報により、その画像がデジタルカメラ１０を縦位置に構えて撮影されたものではないと判断した場合、その画像はデジタルカメラ１０を横位置に構えて撮影されたものであることとなるので、次にその時点でデジタルカメラ１０が縦位置となっているか否かを縦横センサ３０からの検出信号により判断する（ステップＢ０８）。
【０１２７】
　デジタルカメラ１０が縦位置であると判断した場合、メモリカード２９から選択した画像データを読出してＪＰＥＧ回路２８で展開し、さらにその時点での縦横センサ３０の出力に応じて展開した画像データを９０°回転処理し、併せてリサイズ、具体的には長さ比で３／４に縮小して表示部２６の表示画面の中央部を使用して再生表示する（ステップＢ０９）。
【０１２８】
　図６（Ｂ）は、そのような横位置撮影で得た画像を、縦位置で保持されるデジタルカメラ１０の表示部２６の上下各端部を使用せずに表示中央部を使用して再生表示している状態を示す。表示部２６の表示画面の一部を使用して表示しているため、画像の大きさは小さくなってしまうものの、画像の天地とその時点での表示部２６の天地とが一致しており、自然な方向での再生表示が行なえる。
【０１２９】
　こうして表示部２６での表示を行ないながら、画像をスクロールして新たに選択するための十字キー２７ｃのキー操作があるか否かを判断し（ステップＢ１１）、操作がないと判断した場合は再び上記ステップＢ０８からの処理に戻って、デジタルカメラ１０の縦位置保持が解かれるか、あるいは十字キー２７ｃのキー操作があるまで、上記図６（Ｂ）に示した如く横位置撮影で得た画像を、縦位置に構えられたデジタルカメラ１０の表示部２６の表示画面の一部で再生表示している状態を維持する。
【０１３０】
　しかして、ステップＢ０８で縦横センサ３０の検出出力によりデジタルカメラ１０が縦位置の保持状態ではないと判断すると、上記ステップＢ０９での処理に代えて、その時点での縦横センサ３０の出力に応じて画像データをメモリカード２９から読出して展開し、表示部２６の表示画面全域を使用して再生表示する（ステップＢ１０）。
【０１３１】
　図６（Ａ）は、そのような横位置撮影で得た画像を、横位置で保持されるデジタルカメラ１０の表示部２６の表示画面全域を使用して再生表示している状態を示す。
【０１３２】
　画像の天地とその時点での表示部２６の天地とが一致しており、自然な方向での再生表示が行なえると共に、表示部２６の表示画面全域を使用しているため、画像をより大きく表示することができる。
【０１３３】
　こうしてステップＢ１０での再生表示処理後もステップＢ１１に進み、横位置に構えられたデジタルカメラ１０の表示部２６の表示画面全域で画像を再生表示している状態を維持しながら、画像をスクロールして新たに選択するための十字キー２７ｃのキー操作と、デジタルカメラ１０が縦位置となるのを待機する。
【０１３４】
　しかして、ステップＢ１１で十字キー２７ｃのキー操作があったと判断した場合には、その操作内容に対応して表示部２６の画面をスクロール更新するべく新たな画像データをメモリカード２９から選択した上で（ステップＢ０７）、再び上記ステップＢ０２からの処理に戻る。
【０１３５】
　このように、拡大再生モードを選択すれば、選択した画像の天地とその時点での表示部２６の天地とが一致するようにして少なくとも自然な方向での再生表示を行なうと共に、表示すべき画像と表示部２６の縦長／横長の方向が一致している際にはさらに表示部２６の表示画面全域を使用して再生表示を行なうため、画像をより大きく表示できる。
【０１３６】
　また、図４に示す拡大再生モードに係る画像再生を行う必要がないとユーザ自身が判断した場合は、ユーザは通常再生モードを選択して図３に示す通常再生モードに係る画像再生を行うことができるとともに、制御部２２の負担を軽減させることができる。
【０１３７】
　なお、上記図３の通常再生モード時、又は図４の拡大再生モード時の処理では、モード当初に最もデート情報の新しい画像データを自動的に選択して再生表示し、以後十字キー２７ｃの操作によるスクロール指示に対応して画像を選択するものとしたが、画像データファイルにファイル名や番号等を付して記録するものとして、キーワードや画像番号を入力して画像の検索を行なうものとしてもよく、さらには自動スクロール等による画像選択時にも同様の表示制御処理を行なうものとしてもよい。
【０１３８】
　また、上記実施形態はモニタ表示画面を有するデジタルカメラに適用したものであるが、本発明はこれに限定されるものではなく、電子手帳やＰＤＡ等の携帯情報端末、携帯テレビ受像機などのモニタ表示画面を有した何らかの携帯機器であってもよく、要は横長画像と縦長画像とが識別可能に記憶されたメモリと、このメモリに記憶されている画像を表示する、縦横比の異なる表示部とを備えた機器であれば、本発明を実施することができる。
【０１３９】
　さらに、本発明は、上述したモニタ表示画面を有した何らかの携帯機器のみならず、例えばデスクトップタイプのパーソナルコンピュータのＬＣＤモニタディスプレイなどのように、横長のモニタ画面を回動させることにより縦長のモニタ画面として使用することが可能な据置型の画像表示装置に適用することも考えられる。この場合、本実施形態で説明したような縦横センサを設ける必要がなく、モニタ画面の回動状態を検出する機械的なスイッチ等の検出手段があればよい。
【０１４０】
　また、上記実施形態においては、縦長画像と横長画像共に、モニタ画面の向きに応じて画像の表示方向を適宜変更する構成としたが、縦長画像のみ、あるいは横長画像のみ、モニタ画面の向きに応じて画像の表示方向を適宜変更する構成としてもよい。
【０１４１】
　さらに、上記実施形態では、表示部画面が横長の状態から縦長の状態になると、それまで縮小していた縦長画像を表示画面全域に渡って表示するものとしたが、これは画像のアスペクト比と画面のアスペクト比が一致した場合にのみ可能なことであり、該２つのアスペクト比が一致していない場合であっても、画面の向きが変わった時点でそれまで縮小していた画像をより拡大して表示するものとすればよい。この点は、縦長画像に限らず横長画像についても同様である。
【０１４２】
　また、上記実施形態では、縦長画像がデジタルカメラを縦位置で保持して撮影した画像、横長画像がデジタルカメラを横位置で保持して撮影した画像であるものとして、これらの画像をモニタ画面に表示させる場合について例示したが、これに限定されず、例えばユーザがパーソナルコンピュータ上で作成した縦長画像と横長画像（例えば描画作成したアニメーション画像、横撮影画像の左右をレタッチソフトでカットして作成した縦長画像、縦撮影画像の上下をレタッチソフトでカットして作成した横長画像など）をモニタ画面に表示させる場合にも本発明を適用可能である。但し、この場合、撮影位置を示すフラグ情報が画像データに関連付けて記録されていないので、ユーザが手動入力により画像データに撮影位置を示すフラグ情報を関連付けるか、画像作成時に生成され画像データに付加される縦横サイズ（画素サイズ）を示すデータ（例えば、６４０（横画素数）×４８０（縦画素数））を参照して縦長画像か横長画像かを判断するようにする必要がある。
【０１４３】
　また、上記実施形態は、撮影位置を示すフラグ情報を画像データに関連付けて記録するようにしたが、撮影位置を示すフラグ情報に代えて画像の底辺（又は上辺）を示す情報を画像データに関連付けて記録するようにしてもよい。
【０１４４】
　例えば、図７（Ａ）に示すようにデジタルカメラを横位置で保持して撮影した画像データに対しては番号１が底辺を示す情報として画像データに関連付けて記録し、図７（Ｂ）に示すようにデジタルカメラを横位置で且つ上下逆さにした状態で保持して撮影した画像データに対しては番号３が底辺を示す情報として画像データに関連付けて記録し、図７（Ｃ）又は図７（Ｄ）に示すようにデジタルカメラを縦位置で保持して撮影した画像データに対しては番号２又は番号４が底辺を示す情報として画像データに関連付けて記録する。
【０１４５】
　なお、縦横センサ３０がデジタルカメラ１０に搭載されていない場合には、デフォルトで番号１が底辺を示す情報として画像データに関連付けて記録され、その後、必要に応じてユーザが手動操作により底辺を示す情報を書き換えることになる。
【０１４６】
　また、撮影位置を示すフラグ情報に代えて、図８（Ａ）及び図８（Ｂ）に示すような縦横サイズを示すデータを画像データに関連付けて記録するようにし、画像再生時、この縦横サイズを示すデータを参照することにより縦長画像か横長画像かを判断するようにしてもよい。
【０１４７】
　また、上記実施形態は、縦横センサ３０を用いて撮影時のデジタルカメラ１０の縦位置、横位置を検出し、自動的に横位置撮影画像と縦位置撮影画像とを識別可能な状態として記録媒体であるメモリカード２９に記録するものとしたが、縦横センサ３０を使用せずとも、例えば縦位置撮影用のシャッタキーと横位置撮影用のシャッタキーを併設し、どちらのシャッタキーが操作されたかによって撮影画像に縦長画像と横長画像の識別情報を付与して記録するものとしてもよいし、あるいは撮影時は縦位置撮影画像と横位置撮影画像の区別なく記録し、その後ユーザがキー入力等により縦長画像、横長画像の識別情報を入力して記録されている画像データに付加設定するようにしたり、撮影直前にユーザが縦位置撮影、横位置撮影のいずれかを選択し、撮影時点でどちらが選択されているのかによってその撮影画像を縦撮影画像と横撮影画像のいずれかを識別可能に記録するものとしてもよい。
【０１４８】
　また、上記実施形態では、再生モード時に縦横センサを用いてデジタルカメラが縦位置に保持されているか横位置に保持されているかを検出し、その検出結果に基づいて選択した画像の表示方向を変更するようにしたが、装置本体に対して表示画面を縦向き及び横向きに回動できるような支持構造を有するものとし、その時点での表示画面の回動状態を検出して、選択した画像の表示方向を変更するものとしてもよい。
【０１４９】
　さらに、上記実施形態は、縦長画像及び横長画像が静止画像である場合について説明したが、取扱う画像データは静止画像に限るものではなく、動画像であってもよい。
【０１５０】
　さらに、上記実施形態では、撮像素子による撮像により得られ記録媒体であるメモリカード２９に記録された複数の画像データの中から選択されたものを表示させる再生モード時の表示制御について説明したが、衛星放送や地上波放送等の放送電波を受信して取得した画像や、インターネット等の通信ネットワークを介して受信した画像を表示部に表示させる場合の表示制御にも本発明を適用できる。但し、その場合には、その画像が縦長画像であるのか横長画像であるのかを示す識別情報が付加された画像データを受信する構成にする必要がある。
【０１５１】
　（第２実施例）　
　以下本発明をカメラ付き携帯電話機（以下「携帯電話機（セルラーフォン）」と略称する）に適用した場合の第２の実施形態について図面を参照して説明する。
【０１５２】
　図９は、本実施形態による携帯電話機５１の構成を示すブロック図である。無線送受信部６６は、無線によりアンテナ５４を介して音声データ、文字データ、画像データ等のデータ（電子メールデータを含む）を送受し変調／復調する。無線信号処理部６７は、無線送受信部６６で受信した音声データ、文字データ、画像データ等のデータを復調し、或いは無線送受信部６６から送信する音声データ、文字データ、画像データ等のデータを変調するなどの無線通信に必要な処理をする。制御部６８は、後述するカメラ付き携帯電話機５１の蓋部５２、本体部５３の各種動作及び全体の動作を制御する。
【０１５３】
　検出部６９は、シャッターキー５７が操作されたことを検出する。開閉検出部７０は、光センサ、メカニカルスイッチ等で構成され、携帯電話機５１が開状態（蓋部５２と本体部５３とが開放された状態）になったのか、閉状態（本体部５３に蓋部５２が被さった状態）になったのかを検出する。
【０１５４】
　ドライバ７１は、表示部５６を駆動させる。ドライバ７２は、サブ表示部６０を駆動させる。加入者情報記憶部７３は、携帯電話機５１を呼び出すための電話番号や電子メールアドレス、操作者（加入者）のＩＤ等、プロフィールデータを格納する。
【０１５５】
　ＲＯＭ７４は、制御部６８を制御する各種プログラムなどを記憶する。ＲＡＭ７５は、無線通信端末として必要な各種データを記憶し、かつ制御部６８が動作する上で必要なデータを記憶するとともに、後述する撮影モジュール７８により撮像された画像データや無線送受信部６６により受信された画像データも記憶する。音声信号処理部７６は、マイク５９から入力された音声信号を符号化処理したり、無線信号処理部６７から出力された信号に基づいて復号化してスピーカ５５から出力したりする。
【０１５６】
　ＤＳＰ７７は、撮影レンズ６２を介して撮像モジュール７８に取り込まれた画像データを符号化処理する。撮像モジュール７８は、ＣＣＤ、若しくはＣＭＯＳで構成され、カラー画像を取り込む。報知デバイス７９は、報音スピーカ６５、バイブレータ８０、ＬＥＤ１１１を駆動させるためのドライバである。
【０１５７】
　図１０（Ａ）、図１０（Ｂ）は、本発明の実施形態による携帯電話機５１（開状態）の外観を示す正面図および背面図である。図において、携帯電話機５１は、大きく蓋部５２と本体部５３とから構成されている。蓋部５２は、本体部５３側に折り畳み可能となっている。アンテナ５４は、蓋部５２の背面に設けられており、伸縮自在となっている。
【０１５８】
　スピーカ５５は、蓋部５２の前面側に設けられており、音声出力を行なう。表示部（メイン表示部）５６は、カラー液晶であり、開状態でカメラモードへの移行を検出すると、スルー画像を表示する。シャッターキー５７は、本体部５３の側面に設けられており、カメラモードにおいて、ユーザの押圧操作により、撮像モジュール７８による撮影を指示する。キー入力部５８は、本体部５３の前面に設けられており、各種機能キー、テンキーなどからなる。マイク５９は、本体部５３の下部に設けられており、音声入力を行なう。
【０１５９】
　サブ表示部６０（図示せず）は、蓋部５２の背面に設けられている。該サブ表示部６０の表示面は、撮像レンズ６２の光軸とほぼ直交するように配置されている。該サブ表示部６０の構造については後述する。背面キー６１（図示せず）は、透明、または半透明部材で構成され、着信の際、発光するＬＥＤを内蔵している。撮像レンズ６２（図示せず）は、蓋部５２の背面、上記サブ表示部６０の下部に設けられている。バッテリーパック６３（図示せず）は、本体部５３の裏面に着脱可能に設けられており、ロック部６４（図示せず）により固定されている。ロック部６４は、バッテリーパック６３を本体部５３に固定するためのものである。報知スピーカ６５（図示せず）は、着信などを報知するものであり、蓋部５２を本体部５３に閉じた状態でも報知音が聞こえるように、本体部５３の裏面に配置されている。
【０１６０】
　図１１（Ａ）は、基本モードとしてキー入力部５８が操作されることにより通常再生モードが選択されている状態で主として制御部６８が実行する動作プログラムに基づいた処理内容を示すものである。　
　その通常再生モードが設定されている状態で、画像データ（画像ファイル）の無線送受信部６６による受信を検出したか否かを判断し（ステップＣ０１）、ここで画像データの受信が検出されると、画像データに付加されている（画像ファイル中に含まれている）縦横サイズ（画素サイズ）を示すデータに基づき、受信した画像データを表示部５６に再生表示する（ステップＣ０２）。
【０１６１】
　すなわち、画像データに付加されている縦横サイズデータの値が図８Ａに示すような「６４０（横）×４８０（縦）」（横長画像）であった場合は、図１０（Ａ）に示すように画像データが表示画面内に収まるようなサイズにリサイズされ、表示画像の縦横比が表示部５６の縦横比と異なるために表示部５６の表示画面の中央部を使用して再生表示されることになる。
【０１６２】
　また、画像データに付加されている縦横サイズデータの値が図８Ｂに示すような「４８０（横）×６４０（縦）」（縦長画像）であった場合は、画像データが表示画面内に収まるようなサイズにリサイズされ、表示画像の縦横比が表示部５６の縦横比と一致するために表示部５６の表示画面全域を使用して図５（Ｂ）に示すように再生表示されることになる。
【０１６３】
　図１１（Ｂ）は、基本モードとしてキー入力部５８が操作されることにより本発明に係る拡大再生モードが選択されている状態で主として制御部６８が実行する動作プログラムに基づいた処理内容を示すものである。
【０１６４】
　その拡大再生モードが設定されている状態で、画像データ（画像ファイル）の無線送受信部６６による受信を検出したか否かを判断し（ステップＣ１１）、ここで画像データの受信が検出されると、続いて画像データに付加されている（画像ファイル中に含まれている）縦横サイズ（画素サイズ）を示すデータに基づき、受信画像が縦長なのか横長なのかを判断する（ステップＣ１２）。
【０１６５】
　ここで受信画像が横長画像であると判断されると、画像データを縦横サイズを示すデータに従ってそのまま再生表示するのではなく、図１０（Ｂ）に示すように、画像データを９０°回転処理し、併せて画像データを表示画面内に収まるようなサイズにリサイズしてから表示部５６の表示画面全域を使用して再生表示する（ステップＣ１３）。
【０１６６】
　また、ステップＣ１２で受信画像が縦長画像であると判断されると、画像データを縦横サイズを示すデータに従ってそのまま再生表示するべく、画像データを表示画面内に収まるようなサイズにリサイズしてから表示部５６の表示画面全域を使用して図５（Ｂ）に示すように再生表示する（ステップＣ１４）。つまり、縦長画像の場合は通常再生モード時と同様に再生表示されることになる。
【０１６７】
　このように、拡大再生モードを選択すれば、縦長画像と横長画像ともに表示部５６の表示画面全域を使用して再生表示を行なうため、画像をより大きく表示させることができる。
【０１６８】
　また、図１１（Ｂ）に示す拡大再生モードに係る画像再生を行う必要がないとユーザ自身が判断した場合は、ユーザは通常再生モードを選択して図１１（Ａ）に示す通常再生モードに係る画像再生を行うことができるとともに、制御部６８の負担を軽減させることができる。
【０１６９】
　なお、上記図１１（Ａ）の通常再生モード時、又は図１１（Ｂ）の拡大再生モード時の処理では、受信した画像データを表示部５６に再生表示する場合について説明したが、ＲＡＭ７５に既に記憶されている、無線送受信部６６により受信された画像データや撮影モジュール７８により撮影された画像データを表示部５６に再生表示する際にも本発明を適用することができる。
【０１７０】
　但し、撮影モジュール７８により撮影された画像データの場合は、第１実施例のように縦横センサ３０を用いて撮影時の携帯電話機５１の縦位置、横位置を検出し、自動的に画像データに縦横サイズを示すデータを付加するようにしたり、あるいは縦位置撮影用のシャッタキーと横位置撮影用のシャッタキーを併設し、どちらのシャッタキーが操作されたかに応じて縦横サイズを示すデータを付加するようにしてもよいし、あるいは撮影時は縦位置撮影画像と横位置撮影画像の区別なく記録し、その後ユーザがキー入力等により画像の縦横サイズを入力して記録されている画像データに付加設定するようにしたり、あるいは撮影直前にユーザが縦位置撮影、横位置撮影のいずれかを選択し、撮影時点でどちらが選択されているのかによって自動的に画像データに縦横サイズを示すデータを付加するものとしてもよい。この場合、縦横サイズを示すデータに代えて、撮影位置を示すフラグ情報、画像の底辺（又は上辺）を示す情報を画像データに付加するようにしてもよい。
【０１７１】
　また、上記実施形態はモニタ表示画面を有するカメラ付き携帯電話機に適用したものであるが、本発明はこれに限定されるものではなく、カメラ無しの携帯電話機、電子手帳やＰＤＡ等の携帯情報端末、携帯テレビ受像機などのモニタ表示画面を有した何らかの携帯機器であってもよく、要は縦横比が異なる画像を表示する、縦横比の異なる表示部を備えた機器であれば、本発明を実施することができる。
【０１７２】
　さらに、本発明は、上述したモニタ表示画面を有した何らかの携帯機器のみならず、例えばデスクトップタイプのパーソナルコンピュータのＬＣＤモニタディスプレイなどのように、横長のモニタ画面を回動させることにより縦長のモニタ画面として使用することが可能な据置型の画像表示装置に適用することも考えられる。
【０１７３】
　また、上記実施形態においては、縦長の表示部に横長画像を表示させる場合に画像データを９０°回転処理して表示部の表示画面全域を使用して横長画像を再生表示する場合について説明したが、横長の表示部に縦長画像を表示させる場合に画像データを９０°回転処理して表示部の表示画面全域を使用して縦長画像を再生表示するようにしてもよい。
【０１７４】
　さらに、上記実施形態では、画像の縦横比及び画像の横縦比と表示画面の縦横比とが一致する場合について説明したが、画像の縦横比と表示画面の縦横比が一致していない場合であっても拡大再生モードでの画像表示サイズが通常再生モードでの画像表示サイズよりも大きくすることができるような画像の縦横比及び表示画面の縦横比であれば本発明を適用することができる。
【０１７５】
　さらに、上記実施形態は、縦長画像及び横長画像が静止画像である場合について説明したが、取扱う画像データは静止画像に限るものではなく、動画像であってもよい。
【０１７６】
　なお、本発明は上記実施形態に限らず、その要旨を逸脱しない範囲内で種々変形して実施することが可能であるものとする。
【０１７７】
　さらに、上記実施形態には種々の段階の発明が含まれており、開示される複数の構成要件における適宜な組合わせにより種々の発明が抽出され得る。例えば、実施形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１７８】
【図１】本発明の第１の実施形態に係るデジタルカメラの回路構成を示すブロック図。
【図２】同実施形態に係る撮影モード時の処理内容を示すフローチャート。
【図３】同実施形態に係る通常再生モード時の処理内容を示すフローチャート。
【図４】同実施形態に係る拡大再生モード時の処理内容を示すフローチャート。
【図５】同実施形態に係る、デジタルカメラの外観、及び拡大再生モード時の画像表示状態を例示する図。
【図６】同実施形態に係る、デジタルカメラの外観、及び拡大再生モード時の画像表示状態を例示する図。
【図７】同実施形態に係る、画像データに関連付けて記録される画像の底辺を示す情報を例示する図。
【図８】同実施形態に係る、画像データに関連付けて記録される画素サイズを示す情報を例示する図。
【図９】本発明の第２の実施形態に係るカメラ付き携帯電話機の回路構成を示すブロック図。
【図１０】同実施形態に係る、カメラ付き携帯電話機の外観及び通常再生モード時、拡大再生モード時の画像表示状態を例示する図。
【図１１】同実施形態に係る、通常再生モード時及び拡大再生モード時の処理内容を示すフローチャート。
【符号の説明】
【０１７９】
１０…デジタルカメラ、１１…モータ（Ｍ）、１２…レンズ光学系、１３…ＣＣＤ、１４…タイミング発生器（ＴＧ）、１５…垂直ドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…ＶＲＡＭコントローラ、２４…ＶＲＡＭ、２５…デジタルビデオエンコーダ、２６…表示部、２７…キー入力部、２７ａ…シャッタキー、２７ｂ…モード切換えキー、２７ｃ…十字キー、２７ｄ…セットキー、２８…ＪＰＥＧ回路、２９…メモリカード、３０…縦横センサ。
【図１】
2004145291.tif 000003
【図２】
2004145291.tif 000004
【図３】
2004145291.tif 000005
【図４】
2004145291.tif 000006
【図５】
2004145291.tif 000007
【図６】
2004145291.tif 000008
【図７】
2004145291.tif 000009
【図８】
2004145291.tif 000010
【図９】
2004145291.tif 000011
【図１０】
2004145291.tif 000012
【図１１】
2004145291.tif 000013